(57)【特許請求の範囲】
【請求項１】
バーナと、該バーナに燃焼用空気を供給する給気通路と、該バーナの燃焼排気を排出する排気通路と、該給気通路と該排気通路に空気流を生じさせるファンと、該給気通路又は該給気通路に流れる空気の流量を把握する空気流量把握手段と、前記空気流量把握手段による空気の流量の把握値が所定の閉塞判定値以下となったときに前記給気通路又は前記排気通路が閉塞状態にあると判断する閉塞検知手段と、該閉塞検知手段により前記給気通路又は前記排気通路が閉塞状態にあると判断されたときに前記バーナの燃焼作動を禁止する燃焼禁止手段を備えた燃焼装置において、
前記空気流量把握手段は、前記給気通路又は前記排気通路に設けたオリフィスと、該オリフィスの上流側の空気圧と該オリフィスの下流側の空気圧との差圧を検出する差圧センサと、
該差圧センサに作動用電力を供給する電力供給期間と、該差圧センサへの作動用電力を遮断する電力遮断期間とを交互に切換えて、該差圧センサに断続的に作動用電力を供給する電力供給手段とを有し、
前記電力供給期間において、前記電力供給期間の開始から所定時間が経過した後に前記差圧センサからの差圧検出信号を入力して前記差圧を認識し、該差圧により前記給気通路又は前記排気通路に流れる空気の流量を把握することを特徴とする燃焼装置。
【請求項２】
バーナと、該バーナに燃焼用空気を供給する給気通路と、該バーナの燃焼排気を排出する排気通路と、該給気通路と該排気通路に空気流を生じさせるファンと、該給気通路又は該給気通路に流れる空気の流量を把握する空気流量把握手段と、前記空気流量把握手段による空気の流量の把握値が所定の閉塞判定値以下となったときに前記給気通路又は前記排気通路が閉塞状態にあると判断する閉塞検知手段と、該閉塞検知手段により前記給気通路又は前記排気通路が閉塞状態にあると判断されたときに前記バーナの燃焼作動を禁止する燃焼禁止手段を備えた燃焼装置において、
前記空気流量把握手段は、前記給気通路又は前記排気通路に設けたオリフィスと、該オリフィスの上流側の空気圧を検出する第１圧力センサと、該オリフィスの下流側の空気圧を検出する第２圧力センサと、
該第１圧力センサと該第２圧力センサに作動用電力を供給する電力供給期間と、該第１圧力センサと該第２圧力センサへの作動用電力を遮断する電力遮断期間とを交互に切換えて、該第１圧力センサと該第２圧力センサに断続的に作動用電力を供給する電力供給手段と、
前記電力供給期間において、前記電力供給期間の開始から所定時間が経過した後に、前記第１圧力センサと前記第２圧力センサからの圧力検出信号を入力して、前記オリフィスの上流側と下流側の空気圧の差圧を算出する差圧算出手段とを有し、該差圧により前記給気通路又は前記排気通路に流れる空気の流量を把握することを特徴とする燃焼装置。
【発明の詳細な説明】
【０００１】
【発明の属する技術の分野】
本発明は、バーナの給気通路と排気通路の閉塞検知を行う燃焼装置に関する。
【０００２】
【従来の技術】
例えば強制給排気式のガス温風暖房機において、ファンの回転作動により、屋外に開口した給気口から給気通路を介して燃焼用空気がガスバーナに供給されると共に、該ガスバーナの燃焼により生じる燃焼排ガスが排気通路を介して屋外に開口された排気口から排出されるものが知られている。
【０００３】
かかるガス温風暖房機においては、前記給気口や前記排気口に雪が積もった場合や、前記給気通路や前記排気通路内に鳥が巣を作った場合に、前記給気通路と前記排気通路に流れる空気の流量が制限される、いわゆる閉塞状態となる。このような閉塞状態が生じると、前記ファンの作動により前記給気通路を介してガスバーナに供給される燃焼用空気の流量が減少する。その結果、ガスバーナの燃焼用空気が不足することとなってガスバーナが不完全燃焼状態となる。
【０００４】
そこで、前記ファンを所定回転数で作動させた状態で、前記給気通路又は前記排気通路に流れる空気の流量を把握し、把握した空気の流量が所定の閉塞判定値以下となったときに、前記給気通路又前記排気通路が閉塞状態にあると判断してガスバーナの燃焼を禁止する処理が行われている。
【０００５】
そして、前記給気通路又は前記排気通路に流れる空気の流量を把握する方法として、前記給気通路又は前記排気通路にオリフィスを設け、該オリフィスの上流側の空気圧と下流側の空気圧との差圧を検出することが考えられる。該差圧は前記給気通路や前記排気通路に流れる空気の流量に応じて変化するため、該差圧から前記給気通路や前記排気通路に流れる空気の流量を把握することができる。
【０００６】
このように前記オリフィスの上流側の空気圧と下流側の空気圧との差圧を検出するため、半導体等の圧電変換素子を用いた圧力センサが一般的に使用されるが、前記給気通路又は前記排気通路が閉塞状態であるときと閉塞状態でないときとの、前記差圧の違いは比較的小さい（例えば数１０Ｐａ程度）。そのため、前記給気通路又は前記排気通路の閉塞の有無を精度良く検知するためには、圧力センサによる空気圧の検出精度が高いことが前提となる。
【０００７】
しかし、該圧力センサは連続通電に対する耐久性に問題がある。そのため、連続的に通電して該圧力センサを使用した場合には、圧電変換素子の劣化等により空気圧の検出精度が悪化して、前記給気通路又は前記排気通路の閉塞の有無を精度良く検知することができなくなるおそれがある。
【０００８】
【発明が解決しようとする課題】
本発明は、上記背景を鑑みてなされたものであり、圧力センサを使用して、給気通路と排気通路の閉塞の有無を精度良く検知することができる燃焼装置を提供することを目的とする。
【０００９】
【課題を解決するための手段】
本発明は上記目的を達成するためになされたものであり、バーナと、該バーナに燃焼用空気を供給する給気通路と、該バーナの燃焼排気を排出する排気通路と、該給気通路と該排気通路に空気流を生じさせるファンと、該給気通路又は該給気通路に流れる空気の流量を把握する空気流量把握手段と、前記空気流量把握手段による空気の流量の把握値が所定の閉塞判定値以下となったときに前記給気通路又は前記排気通路が閉塞状態にあると判断する閉塞検知手段と、該閉塞検知手段により前記給気通路又は前記排気通路が閉塞状態にあると判断されたときに前記バーナの燃焼作動を禁止する燃焼禁止手段を備えた燃焼装置の改良に関する。
【００１０】
前記空気流量把握手段により、前記給気通路又は前記排気通路に流れる空気の流量を把握する方法として、前記給気通路又は前記排気通路にオリフィスを設け、該オリフィスの上流側と下流側の空気圧の差圧を求める方法を用いることが考えられる。該差圧は、前記給気通路又は前記排気通路に流れる空気の流量に応じて変化するため、該差圧から前記給気通路又は前記排気通路に流れる空気の流量を把握することができる。
【００１１】
そして、オリフィスの上流側の空気圧と下流側の空気圧との差圧を検出するため、オリフィスの上流側の空気圧と下流側の空気圧との差圧を検出する圧力センサ（差圧センサ）が用いられる。或いは、オリフィスの上流側の空気圧と下流側の空気圧を別個に検出する２個の圧力センサが用いられ、該２個の圧力センサの検出圧力からオリフィスの上流側の空気圧と下流側の空気圧との差圧が算出される。しかし、これらの圧力センサは、半導体等の圧電変換素子を利用するものであるため、連続通電に対する耐久性に問題があり、連続通電を行ってこれらの圧力センサを使用すると差圧や空気圧の検出精度が悪化するおそれがある。
【００１２】
そこで、本発明の第１の実施の態様は、前記空気流量把握手段は、前記給気通路又は前記排気通路に設けたオリフィスと、該オリフィスの上流側の空気圧と下流側の空気圧との差圧を検出する差圧センサと、該差圧センサに作動用電力を供給する電力供給期間と、該差圧センサへの作動用電力を遮断する電力遮断期間とを交互に切換えて、該差圧センサに断続的に作動用電力を供給する電力供給手段とを有し、前記電力供給期間において、前記電力供給期間の開始から所定時間が経過した後に前記差圧センサからの差圧検出信号を入力して前記差圧を認識し、該差圧により前記給気通路又は前記排気通路に流れる空気の流量を把握することを特徴とする。
【００１３】
かかる本発明によれば、前記電力供給手段により、前記差圧センサへの作動用電力の供給が断続的に行われる。そのため、連続通電により前記差圧センサの検出精度が低下することを防止することができる。
【００１４】
また、差圧センサの特性上、前記電力供給手段から前記差圧センサへの作動用電力の供給が開始されてから、前記差圧センサの差圧検出信号の出力が正常な状態となるまでにはある程度の時間（出力安定時間）を要する。そのため、前記電力供給手段から前記差圧センサへの作動用電力の供給が開始された直後に、前記差圧センサの差圧検出信号を入力すると、正常ではない差圧検出信号を入力することとなってしまう。
【００１５】
そこで、前記空気流量把握手段は、前記電力供給期間の開始から前記所定時間が経過した後に、前記差圧センサからの差圧検出信号を入力する。この場合、前記所定時間を前記出力安定時間よりも長く設定すれば、前記空気流量把握手段が前記差圧センサから正常でない差圧検出信号を入力することはない。したがって、前記空気流量把握手段が前記給気通路又は前記排気通路に流れる空気の流量を誤って把握することを防止して、前記給気通路又は前記排気通路の閉塞の有無を精度良く検知することができる。
【００１６】
また、本発明の第２の実施の態様は、前記空気流量把握手段は、前記給気通路又は前記排気通路に設けたオリフィスと、該オリフィスの上流側の空気圧を検出する第１圧力センサと、該オリフィスの下流側の空気圧を検出する第２圧力センサと、該第１圧力センサと該第２圧力センサに作動用電力を供給する電力供給期間と、該第１圧力センサと該第２圧力センサへの作動用電力を遮断する電力遮断期間とを交互に切換えて、該第１圧力センサと該第２圧力センサに断続的に作動用電力を供給する電力供給手段と、前記電力供給期間において、前記電力供給期間の開始から所定時間が経過した後に、前記第１圧力センサと前記第２圧力センサからの圧力検出信号を入力して、前記オリフィスの上流側と下流側の空気圧の差圧を算出する差圧算出手段とを有し、該差圧により前記給気通路又は前記排気通路に流れる空気の流量を把握することを特徴とする。
【００１７】
かかる本発明においては、前記差圧算出手段が、前記第１圧力センサの検出圧力と前記第２圧力センサの検出圧力とを入力して、前記オリフィスの上流側の空気圧と下流側の空気圧との差圧を算出する。そして、前記第１圧力センサと前記第２圧力センサには、上述した第１の実施の態様と同様に、前記電力供給手段により断続的に作動用電力が供給されるため、連続通電により前記第１差圧センサと前記第２差圧センサの検出精度が低下することを防止することができる。
【００１８】
そして、前記第１圧力センサと前記第２圧力センサにおいても、前記差圧センサと同様に、前記電力供給手段から前記第１圧力センサと前記第２圧力センサへの作動用電力の供給が開始されてから、前記第１圧力センサと第２圧力センサの圧力検出信号の出力が正常な状態となるまでには、ある程度の時間（出力安定時間）を要する。
【００１９】
そこで、前記差圧算出手段は、前記電力供給期間の開始から前記所定時間が経過した後に、前記第１圧力センサと前記第２圧力センサからの圧力検出信号を入力する。この場合、上述した第１の実施の態様と同様に、前記所定時間を前記出力安定時間よりも長く設定すれば、前記差圧算出手段が前記第１圧力センサと前記第２圧力センサから正常でない圧力検出信号を入力することはない。したがって、前記差圧算出手段が誤った差圧を算出し、前記空気流量把握手段が前記給気通路又は前記排気通路に流れる空気の流量を誤って把握することを防止して、前記給気通路又は前記排気通路の閉塞の有無を精度良く検知することができる。
【００２０】
【発明の実施の形態】
本発明の実施の形態の一例について、図１〜図５を参照して説明する。図１は本発明の燃焼装置である強制給排気式のガス温風暖房機の全体構成図、図２は図１に示したガス温風暖房機の制御ブロック図、図３は図１に示したガス温風暖房機における閉塞検知で使用される閉塞判定値のデータテーブル、図４は差圧センサから出力される差圧検出信号の入力処理のフローチャート、図５は図４に示したフローチャートを実行したときの差圧センサの出力の推移を示した説明図である。
【００２１】
図１を参照して、本実施の形態のガス温風暖房機は、室内に設置されるハウジング１内に、送風路２と、該送風路２を介して室内空気を対流させる対流ファン３と、送風路２を流れる空気を加熱する加熱手段４とを備えている。
【００２２】
加熱手段４は、バーナ５と、該バーナ５を収容した燃焼室６と、該燃焼室６に連なる熱交換器７とを有する。そして、燃焼室６には、バーナ５に燃焼用空気を供給するための給気通路８が接続されると共に、バーナ５の燃焼排ガスを排出するための排気通路９が熱交換器７を介して接続されている。
【００２３】
また、給気通路８及び排気通路９は、ハウジング１から屋外まで延設され、給気通路８には燃焼ファン１０（本発明のファンに相当する）が設けられている。燃焼ファン１０は、給気通路８内に設けられた回転羽根１１と、該回転羽根１１を回転駆動する燃焼ファンモータ１２と、該燃焼ファンモータ１２の回転数を検出する回転数センサ１３とにより構成されている。そして、燃焼ファン１０が作動することで、給気通路８と排気通路９に空気流が生じ、給気通路８からバーナ５への燃焼用空気の供給と、燃焼室６から排気通路９への燃焼排ガスの排出が行われる。
【００２４】
燃焼室６内のバーナ５は、ハウジング１の外部から配管されたガス供給管１４と接続され、該ガス供給管１４から供給される燃料ガスを給気通路８から供給される燃焼用空気と混合して燃焼させる。また、燃焼室６内には、バーナ５の点火を行うための点火電極１５と、バーナ５の点火の検出や失火の有無を検知するためのフレームロッド１６とが設けられている。
【００２５】
また、給気通路８内には、給気通路８を流れる空気の流量の変化から、給気通路８又は排気通路９の閉塞の有無を検知するため、給気通路８中を流れる空気の流量を絞るオリフィス１７と、該オリフィス１７の上流側の空気圧と下流側の空気圧との差圧を検出する差圧センサ１８とが設けられている。尚、ガス供給管１４には、第１電磁弁２０，第２電磁弁２１，及びガス比例弁２２が設けられている。
【００２６】
送風路２は、ハウジング１の背面及び前面にそれぞれ吸気口２３と吹出口２４を有し、吸気口２３と吹出口２４の間に熱交換器７を介して形成されている。そして、吸気口２３にはエアフィルタ２５が装着され、吹出口２４には温風の吹出方向を調節するためのルーバ２６が組付けられている。
【００２７】
対流ファン３は、吸気口２３に臨んで送風路２内に設けられた回転羽根２７と、該回転羽根２７を回転駆動する対流ファンモータ２８とにより構成されている。対流ファン３は、回転羽根２７の回転により、室内空気を吸気口２３から送風路２内に取込み、取込んだ空気を熱交換器７を介して吹出口２４から室内に送風する。
【００２８】
尚、送風路２内の吸気口２３に臨む箇所には、該送風路２に対流ファン３により吸気される室内空気の温度を室温として検出する室温センサ２９が設けられている。
【００２９】
図１及び図２を参照して、本実施の形態のガス温風暖房機は、さらに、その暖房運転の制御を行うためのコントローラ３０と、使用者により操作される暖房運転の開始／停止を指示する運転スイッチ３１と室温設定スイッチ３２、及び給気通路８又は排気通路９が閉塞状態にあることを報知する警報ランプ３３を有するリモコン３４とを備えている。
【００３０】
図２に示したように、コントローラ３０は、マイクロコンピュータ４０（以下、マイコン４０という）と、第１電磁弁２０と第２電磁弁２１，ガス比例弁２２，燃焼ファンモータ１２，警報ランプ３３，及び対流ファンモータ２８をそれぞれ駆動する駆動回路４１〜４６と、差圧センサ１８に作動用電力を供給する電力供給回路４７とを備えている。
【００３１】
マイコン４０には、運転スイッチ３１からの暖房運転の開始／停止の指示信号、室温設定スイッチ３２からの目標室温の指示信号、フレームロッド１６からのバーナ５の失火の有無等を示す信号、室温センサ２９からの検出室温を示す信号、回転数センサ１３からの燃焼ファンモータ１２の回転数を示す信号、差圧センサ１８からのオリフィス１７の上流側の空気圧と下流側の空気圧との検出差圧を示す信号が入力される。
【００３２】
そして、マイコン４０は、これらの信号に基づいて、燃焼制御手段５０，閉塞判定値設定手段５１，閉塞検知手段５２，燃焼禁止手段５３，前記駆動回路４１〜４６，及び電力供給回路４７によりガス温風暖房機の暖房運転を実行する。
【００３３】
燃焼制御手段５０は、点火駆動回路４１，電磁弁駆動回路４２，比例弁駆動回路４３，及び燃焼ファン駆動回路４４を介してバーナ５の点火／消火と燃焼量の制御を行う。燃焼制御手段５０は、バーナ５の燃焼量を７段階（１速〜７速）で制御する。そして、燃焼制御手段５０は、前記１速から７速の燃焼量の設定に応じて、燃焼ファン駆動回路４４を介して燃焼ファン１０の回転数を７段階で制御し、また、比例弁駆動回路４３を介してガス比例弁２２の開度を７段階で制御する。また、閉塞判定値設定手段５１と閉塞検知手段５２は、給気通路８又は排気通路９の閉塞の有無を検知するためのものである。
【００３４】
ここで、給気通路８にオリフィス１７を設けた場合、差圧センサ１８により検出されるオリフィス１７の上流側の空気圧と下流側の空気圧との差圧ΔＰは、給気通路８に流れる空気の流量（≒排気通路９に流れる空気の流量）の変動に応じて変化する。そのため、差圧センサ１８により検出される差圧ΔＰから、給気通路８及び排気通路９に流れる空気の流量を把握することができる。この場合、差圧ΔＰが本発明の空気の流量の把握値に相当し、オリフィス１７，差圧センサ１８，マイコン４０及び電力供給回路４７により本発明の空気流量把握手段が構成される。
【００３５】
また、閉塞判定値設定手段５１は、給気通路８又は排気通路９の閉塞の有無を判断するための基準値である閉塞判定値Ｊを、燃焼ファン１０の回転数に応じて、図３に示したデータテーブルに従って７段階に設定する。尚、図３に示したデータテーブルは、予め実験等により決定したものである。
【００３６】
そして、閉塞検知手段５２は、差圧センサ１８により検出された差圧ΔＰが、閉塞判定値設定手段５１により設定された閉塞判定値Ｊ以下となったときに、給気通路８又は排気通路９が閉塞状態にあると判断し、燃焼禁止手段５３は、閉塞検知手段５２により給気通路８又は排気通路９が閉塞状態にあると検知されたときにバーナ５の燃焼作動を禁止する。
【００３７】
このように、給気通路８又は排気通路９が閉塞状態にあると検知されたときにバーナ５の燃焼作動を禁止することで、燃焼室６に供給される空気の流量が減少してバーナ５の燃焼用空気が不足した状態でバーナ５が燃焼し、バーナ５が不完全燃焼状態となることを防止している。
【００３８】
次に、本実施の形態のガス温風暖房機の作動について説明する。ガス温風暖房機への電源供給が開始されると、マイコン４０が作動を開始し、運転スイッチ３１のＯＮ操作待ちとなる。そして、使用者により運転スイッチ３１がＯＮ操作されると、マイコン４０は暖房運転の実行を開始する。マイコン４０は先ず、予め給気通路８と燃焼室６内に燃焼用空気を満たすために燃焼ファンを一定回転数で一定時間作動させるプリパージを行った後、バーナ５の点火処理を行う。
【００３９】
図１を参照して、マイコン４０に備えられた燃焼制御手段５０は、燃焼ファン１０を回転作動させ、点火駆動回路４１を介して点火電極１５に火花放電を生じさせた状態で、電磁弁駆動回路４２を介して第１電磁弁２０と第２電磁弁２１を開弁してバーナ５への燃料ガスの供給を開始することで、バーナ５の点火処理を行う。尚、この点火処理において、マイコン４０は、フレームロッド１６から入力した信号により、バーナ５が着火したか否かを監視し、バーナ５の着火が検知されない場合は、以後の暖房運転の実行を中止する。
【００４０】
バーナ５の着火を検知したときは、マイコン４０は温調制御を開始する。温調制御においては、図２を参照して、マイコン４０は、先ず対流ファン駆動回路４６を介して対流ファンモータ２８を駆動し、対流ファン３の回転作動を開始する。これにより、図１を参照して、室内空気が吸気口２３から送風路２に吸気され、この吸気された空気が熱交換器７で加熱されて、吹出口２４から温風として吹き出される。
【００４１】
このようにバーナ５の燃焼と対流ファン３の作動を開始した後、マイコン４０は、室温設定スイッチ３２により使用者が設定した目標室温と、室温センサ２９による検出室温とが一致するように、燃焼制御手段５０によりバーナ５の燃焼量を上述した７段階（１速〜７速）に切換えると共に、対流ファン駆動回路４６を介して対流ファン３の回転数を制御して吹出口２４からの温風の送風量を制御して温調制御を実行しながら暖房運転を続行する。
【００４２】
次に、差圧センサ１８は、圧電変換素子としてピエゾ抵抗効果を有する半導体を備える。そして、差圧センサ１８は、２個の入力ポートから入力される空気圧（オリフィス１７の上流側の空気圧と下流側の空気圧）の差圧に応じてその抵抗が変化する該半導体を用いて発振回路を構成することで、該差圧に応じて周波数が変化する電気信号（差圧検出信号）を出力する。
【００４３】
しかし、このように圧電変換素子として半導体を用いた差圧センサ１８は、連続通電に対する耐久性に問題がある。即ち、差圧センサ１８に連続的に作動用電力を供給して使用すると、前記半導体の動作特性の変化等が生じて、差圧の検出精度が低下するおそれがある。そこで、マイコン４０は、電力供給回路４７を介して、差圧センサ１８に断続的に作動用電力を供給する（マイコン４と電力供給回路４７により本発明の電力供給手段が構成される）。そして、閉塞検知手段５２は、差圧センサ１８への作動用電力の供給と同期して、差圧センサ１８から出力される差圧検出信号を入力する。
【００４４】
以下、図４，図５を参照して、マイコン４０による電力供給回路４７から差圧センサ１８への断続的な作動用電力の供給処理と、閉塞検知手段５２による差圧センサ１８からの差圧検出信号の入力処理について説明する。
【００４５】
図４を参照して、マイコン４０は、ガス温風暖房機本体への電源供給が開始されると、作動を開始してＳＴＥＰ１からＳＴＥＰ２に進み、使用者による運転スイッチ３１のＯＮ操作待ちとなる。そして、運転スイッチ３１がＯＮ操作されるとＳＴＥＰ３に進み、マイコン４０は電力供給回路４７を介して、差圧センサ１８への作動用電力の供給を開始する。
【００４６】
続くＳＴＥＰ４で、マイコン４０は１０ｍｓｅｃタイマをスタートし、ＳＴＥＰ５で該１０ｍｓｅｃタイマがタイムアップするのを待って、ＳＴＥＰ６で１００ｍｓｅｃタイマをスタートする。そして、次のＳＴＥＰ７で、マイコン４０は、ＳＴＥＰ８で１００ｍｓｅｃタイマがタイムアップするまでの間、差圧センサ１８から出力される差圧検出信号を入力する。
【００４７】
ここで、図５を参照して、ＳＴＥＰ３〜ＳＴＥＰ８の処理による効果について説明する。図５は差圧センサ１８の出力特性を示したものであり、横軸は経過時間（ｍｓｅｃ）、縦軸は差圧センサ１８から出力される差圧検出信号の周波数（Ｈｚ）である。
【００４８】
時刻ｔ０  で電力供給回路４７から差圧センサ１８への作動用電力の供給が開始されると、差圧センサ１８から出力される差圧検出信号の周波数が急速に増加するが、差圧センサ１８の特性から、正常な差圧検出信号であるｆ１  が安定して出力されるようになるまでの間に、ｆ１  よりも高い周波数ｆ２  の差圧検出信号が出力される。尚、ｆ２  の周波数は一定ではなく、周囲温度等の影響を受けて変動するため、ｆ２  を補正して正常な差圧検出信号ｆ１  を得ることは困難である。
【００４９】
そのため、時刻ｔ０  で電力供給回路４７から差圧センサ１８への作動用電力の供給が開始された直後に、マイコン４０が差圧センサ１８から出力される差圧検出信号を入力すると、正常ではない差圧検出信号に基づいてオリフィス１７の上流側の空気圧と下流側の空気圧との差圧ΔＰが認識され、給気通路８又は排気通路９に流れる空気の流量が誤って把握されてしまう。
【００５０】
そして、図３に示したように、正常時  （閉塞が生じていない状態）の差圧ΔＰと閉塞時の差圧ΔＰとは、数１０Ｐａ程度の差しかない。そのため、上述したように、正常ではない差圧検出信号に基づいて差圧ΔＰが認識されると、閉塞検知手段５２により給気通路８又は排気通路９の閉塞の有無が誤って検知される可能性が高い。
【００５１】
そこで、上述したＳＴＥＰ４，ＳＴＥＰ５におけるタイマの設定時間（１０ｍｓｅｃ）は、差圧センサ１８への作動用電力の供給を開始してから、差圧センサ１８から正常な差圧検出信号が安定して出力されるようになるまでに要する時間（出力安定時間）よりも長い時間（本発明の所定時間に相当する）に設定される。
【００５２】
これにより、図５を参照して、差圧センサ１８への作動用電力の供給が開始された時刻ｔ０  から１０ｍｓｅｃが経過した時刻ｔ１  までの間は、マイコン４０による差圧センサ１８からの差圧検出信号の入力が禁止され、差圧センサ１８から正常な差圧検出信号が安定して出力されるようになったと判断できる時刻ｔ１  から、マイコン４０による差圧センサ１８からの差圧検出信号の入力が開始される。
【００５３】
そのため、マイコン４０は、差圧センサ１８から正常な差圧検出信号を入力して差圧ΔＰを認識することができ、閉塞検知手段５２は、該差圧ΔＰに基づいて給気通路８又は排気通路９の閉塞の有無を精度良く検知することができる。
【００５４】
次に、マイコン４０は、ＳＴＥＰ８で１００ｍｓｅｃタイマがタイムアップするのを待ってＳＴＥＰ９に進み、電力供給回路４７を介して差圧センサ１８への作動用電力の供給を停止する。そして、マイコン４０は、続くＳＴＥＰ９で８９０ｍｓｅｃタイマをスタートし、ＳＴＥＰ１１で該８９０ｍｓｅｃタイマがタイムアップするのを待ってＳＴＥＰ３に戻り、ＳＴＥＰ３以下の処理を再び実行する。
【００５５】
これにより、図５を参照して、差圧センサ１８に作動用電力を供給する電力供給期間（１１０ｍｓｅｃ，ｔ０  〜ｔ１  及びｔ３  〜ｔ５  ）と、差圧センサ１８への作動用電力を遮断する電力遮断期間（８９０ｍｓｅｃ，ｔ２  〜ｔ３  ）とが交互に切り変わり、電力供給回路４７から差圧センサ１８に断続的に作動用電力が供給される。そして、このように電力供給回路４７から差圧センサ１８に断続的に作動用電力を供給することで、上述した連続通電により生じる差圧センサ１８の検出精度の低下を防止して、オリフィス１７の上流側の空気圧と下流側の空気圧との差圧を精度良く検出することができる。
【００５６】
尚、本実施の形態では、差圧センサ１８によりオリフィス１７の上流側の空気圧と下流側の空気圧との差圧を検出したが、他の実施の形態として、オリフィス１７の上流側の空気圧を検出する第１圧力センサと、オリフィス１７の下流側の空気圧を検出する第２圧力センサと、該第１圧力センサと該第２圧力センサの検出圧力の差圧を算出する差圧算出手段（マイコン４０に含めてもよい）とを設け、該差圧算出手段により、オリフィスの上流側の空気圧と下流側の空気圧との差圧を算出するようにしてもよい。
【００５７】
この場合にも、上述した差圧センサ１８を用いた場合と同様に、第１圧力センサと第２圧力センサへの作動用電力の供給を断続的に行うようにすることで、連続通電による第１圧力センサと第２圧力センサの劣化を防止することができる。また、第１圧力センサと第２圧力センサへの作動用電力の供給を開始してから、第１圧力センサと第２圧力センサの圧力検出信号の出力が正常な状態となるまでに要する所定時間が経過するのを待って、差圧算出手段が第１圧力センサと第２圧力センサの圧力検出信号を入力することで、上述した差圧センサ１８を用いた場合と同様に、差圧算出手段が第１圧力センサと第２圧力センサから正常でない圧力検出信号を入力することを防止して、給気通路と排気通路の閉塞の有無を精度よく検出することができる。
【００５８】
また、本実施の形態では、オリフィス１７と差圧センサ１８を給気通路８に設けたが、これらを排気通路９に設けても良い。
【００５９】
また、本実施の形態では、本発明の燃焼装置の例として強制給排気式のガス温風暖房機を示したが、本発明の燃焼装置はこれに限らず、強制給排気式の給湯器等の他の種類の燃焼装置であってもよい。
【００６０】
また、本実施の形態では、ガスを燃料とするバーナを備えた燃焼装置を示したが、灯油等の他の種類の燃料を使用するバーナを備えた燃焼装置に対しても本発明の適用が可能である。
【図面の簡単な説明】
【図１】強制給排気式のガス温風暖房機の全体構成図。
【図２】図１に示したガス温風暖房機の制御ブロック図。
【図３】閉塞検知で使用される閉塞判定値のデータテーブル。
【図４】差圧検出信号の入力処理のフローチャート。
【図５】差圧センサの出力の推移を示した説明図。
【符号の説明】
１…ハウジング、２…送風路、３…対流ファン、４…加熱手段、５…バーナ、６…燃焼室、７…熱交換器、８…給気通路、９…排気通路、１０…燃焼ファン、１１…回転羽根、１２…燃焼ファンモータ、１３…回転数センサ、１４…ガス供給管、１５…点火電極、１６…フレームロッド、１７…オリフィス、１８…差圧センサ、２０…第１電磁弁、２１…第２電磁弁、２２…ガス比例弁、２３…吸気口、２４…吹出口、２５…エアフィルタ、２６…ルーバ、２７…回転羽根、２８…対流ファンモータ、２９…室温センサ、３０…コントローラ、３１…運転スイッチ、３２…室温設定スイッチ、３３…警報ランプ、３４…リモコン、４０…マイクロコンピュータ（マイコン）、５０…燃焼制御手段、５１…閉塞判定値設定手段、５２…閉塞検知手段、５３…燃焼禁止手段
【図１】
0003618579.tif 000002
【図２】
0003618579.tif 000003
【図３】
0003618579.tif 000004
【図４】
0003618579.tif 000005
【図５】
0003618579.tif 000006